(57)【要約】 【課題】電気的構成（ソレノイドや電気的部品）を備えることなく、簡単な機構で故障する要因のなく左右の回収樋から転動してくるパチンコ玉を確実に玉止めして玉流入口への導入を阻止することが出来るパチンコ玉揚送装置の玉導入停止機構を提供することにある。【解決手段】回収樋２から導入整列樋３を介してパチンコ玉を流下させ、パチンコ玉を磨きながら揚送するパチンコ玉揚送装置に於いて、導入整列樋の上方に両側壁１１ｂを有する玉導入傾斜板１１を設け、玉導入傾斜板は一端側を玉流入口の上方に固着し、他端側を上下動するように成し、上昇位置の場合には、玉導入傾斜板の両側壁は回収樋の底面高さより高い状態となり、下降位置の場合には、玉導入傾斜板の両側壁は回収樋の底面高さより低い状態となる構成とした。【選択図】図１
2005319327.tif 000002
【特許請求の範囲】
【請求項１】
複数の遊技台を配設した遊技機島の略中央付近にパチンコ玉揚送装置を設け、前記遊技台から排出されるパチンコ玉を回収する回収樋を前記パチンコ玉揚送装置の左右両側に備え、前記回収樋から導入整列樋の玉流入口を介してパチンコ玉を流下させ、パチンコ玉を磨きながら揚送するパチンコ玉揚送装置に於いて、
該パチンコ玉揚送装置は、
前記導入整列樋の上方に両側壁を有する玉導入傾斜板を設け、
前記玉導入傾斜板は
一端側を前記玉流入口の上方に固着し、他端側を上下動するように成し、
前記玉導入傾斜板が
上昇位置の場合には、玉導入傾斜板の両側壁は回収樋の底面高さより高い状態となり、
下降位置の場合には、玉導入傾斜板の両側壁は回収樋の底面高さより低い状態となる構成としたことを特徴とするパチンコ玉揚送装置の玉導入停止機構。
【発明の詳細な説明】
【技術分野】
【０００１】
本発明は、遊技機島に設置された各遊技台から排出されたパチンコ玉及び景品玉計数機から排出されたパチンコ玉等を回収樋にて回収し、該回収樋から導入整列樋に流入したパチンコ玉を研磨媒体にて研磨しながら上方に揚送するパチンコ玉揚送装置に関り、さらに詳しくは、パチンコ玉揚送装置のメンテナンス作業（保守点検又は故障修理や部品交換）の際に、回収樋を流下するパチンコ玉を回収樋から導入整列樋への流入を阻止（玉止め）することが出来るパチンコ玉揚送装置の玉導入停止機構に関するものである。
【背景技術】
【０００２】
通常、遊技機島の略中央位置には各遊技台（パチンコ台）から排出されたパチンコ玉（アウト玉）及び景品玉計数機から排出されたパチンコ玉（計数玉）等を回収樋にて回収し、回収したパチンコ玉を研磨媒体にて研磨しながら上方に揚送するパチンコ玉揚送装置が設置されている。
現在、種々提供されているパチンコ玉揚送装置としては、例えば合成樹脂材等の研磨粒でパチンコ玉を撹拌混合し、研磨しながら上方に揚送するタイプのものと、揚送ベルトと布磨きベルトとの間で挟持しながらパチンコ玉を磨いて上方に揚送するタイプのものとがある。
何れのタイプのパチンコ玉揚送装置においても、例えばメンテナンス作業（保守点検又は故障修理や部品交換）の際は、装置内へのパチンコ玉の導入を停止（阻止）させる必要があり、そのため何れのタイプのパチンコ玉揚送装置にも回収樋を流下するパチンコ玉の転動を停止させる玉止め機構を備えたものが、いくつかの提供されている。
例えば、玉止め機構の構成としては、実公昭５６−１８３８０号や特開平７−１２４３２５号において回収樋上に外部の玉止め操作部に応じて電気的構成からなるソレノイドが作動して玉止めするような玉止め機構を設けて回収樋を流下するパチンコ玉の転動を停止させるようにしている。
【発明の開示】
【発明が解決しようとする課題】
【０００３】
しかしながら、例えば上記した揚送ベルトと布磨きベルトにて挟持しながらパチンコ玉を磨いて上方に揚送するタイプのパチンコ玉揚送装置にソレノイドを採用した玉止め機構においては、布磨きベルトが直ぐに汚れてしまうため、布磨きベルトを頻繁に部品交換（例えば、新規な綿の布磨きベルト等）する必要があり、その都度（閉店後）玉止め機構を作動させて行うが長年使用しているとその回数に伴って増え、電気的構成のソレノイドや電気部品等が故障したりする。
ソレノイドが故障すると、交換しなくてはならず、メンテナンス作業（保守点検又は故障修理や部品交換）の際は、狭小の遊技機島内で行うため、手間が掛かり多くの時間を要していた。つまり、故障する要因の機構（電気的構成）を備えているためである。さらに、閉店時、玉止め作業を忘れてしまった状態で翌日開店してしまうことも有り、補給トラブルを招くことをあった。
【０００４】
本発明の目的は、電気的構成（ソレノイドや電気的部品）を備えることなく、簡単な機構で故障する要因のなく左右の回収樋から転動してくるパチンコ玉を確実に玉止めして玉流入口への導入を阻止することが出来るパチンコ玉揚送装置の玉導入停止機構を提供することにある。
【課題を解決するための手段】
【０００５】
上記、目的を達成するため請求項１記載のパチンコ玉揚送装置の玉導入停止機構は、複数の遊技台を配設した遊技機島の略中央付近にパチンコ玉揚送装置を設け、前記遊技台から排出されるパチンコ玉を回収する回収樋を前記パチンコ玉揚送装置の左右両側に備え、前記回収樋から導入整列樋の玉流入口を介してパチンコ玉を流下させ、パチンコ玉を磨きながら揚送するパチンコ玉揚送装置に於いて、該パチンコ玉揚送装置は、前記導入整列樋の上方に両側壁を有する玉導入傾斜板を設け、前記玉導入傾斜板は一端側を前記玉流入口の上方に固着し、他端側を上下動するように成し、前記玉導入傾斜板が上昇位置の場合には、玉導入傾斜板の両側壁は回収樋の底面高さより高い状態となり、下降位置の場合には、玉導入傾斜板の両側壁は回収樋の底面高さより低い状態となる構成としたものである
【発明の効果】
【０００６】
そのため、閉店後、パチンコ玉揚送装置を停止し、メンテナンス作業（保守点検又は故障修理や部品交換）する場合は、人為的に操作するだけで玉導入傾斜板が上下動する。この動作により回収樋終端から導入整列樋への流入が阻止し、また、回収樋から導入整列樋へのパチンコ玉の流入が可能にすることが出来る。
【０００７】
つまり、上昇位置の時は、玉導入傾斜板の両側壁が回収樋の高さより持ち上がった状態と成り、左右の回収樋から流下してくるパチンコ玉は回収樋の終端の玉導入傾斜板の両側壁に当接して導入整列樋への流入が阻止される訳である。一方、下降位置の時は、玉導入傾斜板の両側壁が回収樋の高さより低く成った状態と成るので、左右の回収樋から流下してくるパチンコ玉はそのまま導入整列樋へ流入することが出来る。この操作は、電気的構成を備えることなく行えるので、頻繁に起きていた故障や点検又は修理作業をする必要もなくなる。
【発明を実施するための最良の形態】
【０００８】
以下、本発明の実施例の形態を図面に基づいて詳述する。図１は玉導入傾斜板が下降位置の状態斜視図であり、図３は同側面状態図、図２は玉導入傾斜板が上昇位置の状態斜視図であり、図４は同側面状態図である。
【０００９】
ここでの実施例では、本発明の玉導入停止機構（玉止め機構１０）を揚送ベルト６と布磨きベルト７との間で挟持しながらパチンコ玉を磨いて上方に揚送するパチンコ玉揚送装置１に採用したものについて説明するが、合成樹脂材等の研磨粒でパチンコ玉を撹拌混合し、研磨しながら上方に揚送するパチンコ玉揚送装置に採用しても良い。
【００１０】
始めに、パチンコ玉揚送装置１の構成について説明する。
パチンコ玉揚送装置１は、図５に示すように遊技台３０（パチンコ台）が多数並設された遊技機島３１の略中央位置３１ａに設置されている。
該パチンコ玉揚送装置１は、上下のローラ（図示せず）に軸支され揚送ベルト６を巻回し、モータ（図示せず）にて駆動するように成し、該揚送ベルト６の対向した位置の布研磨ベルト７（例えば、綿から成る布磨きベルト）との間でパチンコ玉Ｐを挟持し、該布研磨ベルト７によって磨きながら揚送していくように構成されている。
該パチンコ玉揚送装置１の下部の中央付近には導入整列樋３及び導入整列通路４と玉流入口５が設けられ、左右の回収樋２から流下してきたパチンコ玉Ｐは垂直状に連接した導入整列樋３及び導入整列通路４を介して玉流入口５から一列整列状態と成ってパチンコ玉揚送装置１本体内へと導かれていく。
【００１１】
また、パチンコ玉揚送装置１の下部には各遊技台３０から排出されたパチンコ玉Ｐ（アウト玉）及び島端に設置された景品玉計数機（図示せず）から排出されたパチンコ玉Ｐ（計数玉）を回収するため断面略コの字型の樋状に形成された回収樋２が中央のパチンコ玉揚送装置１に向かって左右両側に傾斜状に設け、左右の回収樋２の終端から落下する位置に導入整列樋３が設けられている。
尚、導入整列樋３の略中央に振り分け弾性部材８を垂下状態に設けることにより、左右の回収樋２から流下転動してくるパチンコ玉Ｐの勢いを該振り分け弾性部材８にて衝突させ、その際の衝撃を吸収し、左右均等の量と成るようにするために設けられている。
【００１２】
さらに、該パチンコ玉揚送装置１の下部の中央付近の導入整列樋３の上端位置には、図１乃至図４に示すように一端側を固着し、他端側を上下に開閉自在に成した玉導入傾斜板１が設けられている。
該玉導入傾斜板１１は、矩形状の天板部１１ａと両側を折曲した両側壁部１１ｂとで形成されている。該天板部１１ａは、通常、図１及び図３のように、その先端１１ｃ側が下方に傾斜していて、他端側の蝶番１１ｄによって上下に開閉するように成している。
よって、導入整列樋３の奥の玉導入整列通路４内でパチンコ玉Ｐの詰まりが発生した際は、図１及び図３の点線のように手で持ち上げることにより上方に大きく開いて手が入り易くなり、異物等の詰まりの除去作業を容易に行うことが出来る。また、除去作業が終了して該玉導入傾斜板１１を元の位置に戻すが、玉導入傾斜板１１の裏面側が操作手段である操作レバー１２の先端部１２ａによって支えられ一定角度以上は下方に傾斜しないように支持され、この下降位置の時は、左右の回収樋から流下してくるパチンコ玉Ｐをそのまま導入整列樋３へと流入させることが出来るのである。
【００１３】
次に、本発明の玉導入停止機構（玉止め機構１０）の構成について説明する。
本発明の玉導入傾斜板１１は、手によって上下に開閉（開閉自在）する構成と、さらに支持された操作手段（操作レバー１２の操作）を人為的操作に応じて（連動して）上下動し、左右の回収樋２から流下してくるパチンコ玉Ｐを導入整列樋３内へ流入させたり、導入整列樋３（玉流入口５）へ阻止したりする玉止め機構の構成も兼ね備えているのである。
【００１４】
始めに、操作手段である操作レバー１２の構成について説明する。
操作レバー１２は、人為的操作（店員）によるためのもので、棒状の部材を略Ｚ状のクランク形状に折り曲げて形成され、基台（図示せず）に立設し隣接した位置の支点金具１３により先端側が、基台（図示せず）に立設した操作金具１４により操作側がそれぞれ軸支され、先端側の先端部１２ａは上述した通り玉導入傾斜板１１の裏面側に当接するように成している。
【００１５】
操作レバー１２は、図１に示すように略Ｚ状のクランク形状に折り曲げた先端部１２ａと、第一折り曲げ部１２ｂと、第二折り曲げ部１２ｃと、軸部１２ｄと、第三折り曲げ部１２ｅと、腕部１２ｆと、握り部１２ｇとから形成されている。
該第一折り曲げ部１２ｂは、玉導入傾斜板１１の蝶番１１ｄの直下に位置し、第一折り曲げ部１２ｂと第二折り曲げ部１２ｃ間の軸部１２ｄは操作レバー１２の先端部１２ａが回動する支点と成っている。
該第二折り曲げ部１２ｃは、隣接した支点金具１３の穴部１３ａに遊嵌していて、第三折り曲げ部１２ｅと第二折り曲げ部１２ｃ間は腕部１２ｆとなって縦長穴１４ａ内を遊嵌した状態で上下動し、これにより軸部１２ｄが回動することにより前記先端部１２ａが上下動し、この先端部１２ａの上下動に連動して、玉導入傾斜板１１が上昇したり（玉止め状態）、下降したり（玉止め解除状態）するのである。
【００１６】
また、操作レバー１２を、上方の位置と下方の位置に一旦ロックさせる機構が操作金具１４側に設けられている。該操作金具１４には操作レバー１２が上下動するように遊嵌した縦長穴１４ａと、この縦長穴１４ａの延長した上下の位置にそれぞれ水平部１４ｂと、水平部１４ｃが形成されている。この上下の何れかの水平部１４ｂと、水平部１４ｃに操作レバー１２の握り部１２ｇを差込むことにより上方又は下方の位置でロック状態を維持することが出来る。
【００１７】
次に、本発明の玉導入停止機構（玉止め機構１０）の作用について説明する。
先ず、図１及び図３のように操作レバー１２の握り部１２ｇを上方に持ち上げ、縦長穴１４ａの水平部１４ｂに操作レバー１２の握り部１２ｇを差込み上方の位置でロック状態にする。この時は、操作レバー１２の先端部１２ａ上にある玉導入傾斜板１１はその先端１１ｃ側が下がって下降位置の状態と成る。
つまり、玉止め解除状態と成り、玉導入傾斜板１１の両側壁部１１ｂが回収樋２より下がった位置と成るので、回収樋２を流下してくるパチンコ玉Ｐは、そのまま玉導入傾斜板１１の天板部１１ａ上へと流下可能と成り、玉導入整列樋３内に落下した後、玉導入整列通路４を転動して順次玉流入口５に入っていき、一列整列状態と成ってパチンコ玉揚送装置１本体内へと導かれていく。
【００１８】
これに対し、閉店後、パチンコ玉揚送装置１を停止し、メンテナンス作業（保守点検又は故障修理や部品交換）する場合は、図２及び図４に示すように操作レバー１２の腕部１２ｆを下方の位置に下げて縦長穴１４ａの水平部１４ｃに握り部１２ｇを差込みロック状態にする。この時は、操作レバー１２の先端部１２ａの上に載っている玉導入傾斜板１１はその先端１１ｃ側が回収樋２の高さより約パチンコ玉１個分以上持ち上がって上昇位置の状態と成る。
つまり、玉止めしている状態と成り、玉導入傾斜板１１の両側壁部１１ｂが回収樋２より上がった位置と成るので、左右の回収樋２を流下してくるパチンコ玉Ｐは、玉導入傾斜板１１の両側壁部１１ｂで堰き止められ、この付近に滞留し、玉導入整列樋３内への流入が阻止される。
上述した玉止めの操作は、電気的構成を備えることなく行えるので、頻繁に起きていた故障や点検又は修理作業をする必要もなくなる。加えて、この操作手段（操作レバー１２）の操作により狭小の遊技機島内であっても容易に行える。
【００１９】
尚、図２のように玉導入傾斜板１１の蝶番１１ｄ側は回動の中心となるため回収樋２の底面とほぼ同じ高さにあり、その付近よりパチンコ玉Ｐが天板部１１ａ上にわずかに転動するが、そのパチンコ玉Ｐは天板部１１ａの先端１１ｃが回収樋２の底面より上方位置にあることから、玉導入整列樋３内への流入することが無く、その部分で左右からのパチンコ玉同士で衝突し滞留する。
【００２０】
尚、本実施例においては、操作レバー１２は、１本の棒状部材を略Ｚ形状に折り曲げて形成したが、複数の部材を使用して同様の機能を有するように構成しても良く、また、操作レバーによる操作を略Ｚ状のクランク形状による上下動としたが、これに限らず、操作レバーを前後動させたり、左右動させたりする構成のものであっても良い。
【００２１】
次に、玉止め作業時における動作を検出する構成について説明する。
上述したように図２及び図４に示すように操作レバー１２の腕部１２ｆを下方の位置に下げて縦長穴１４ａの水平部１４ｃに握り部１２ｇを差込みロック状態にする。この時は、操作レバー１２の先端部１２ａの上に載っている玉導入傾斜板１１はその先端１１ｃ側が回収樋２の高さより約パチンコ玉１個分以上持ち上がっている。つまり、玉止めしている状態と成っている。
【００２２】
この玉止め状態を外部に報知する構成としては、例えば、操作金具１４の縦長穴１４ａの水平部１４ｃ付近に検知手段１５（透過型センサー等）を設け、該検知手段１５と遊技機島３１の上部に設けた報知手段１６とを電気的に接続させ、検出時は、操作レバー１２が下方の位置に位置しているので検知手段１５が検知して報知手段１６を点灯表示させて玉止め中（補給トラブル・補給異常）であることを報知する。
尚、操作レバー１２が上方の位置に位置している時は検知手段１５が検知しないので報知手段１６は消灯表示により揚送が正常に動作していることを報知する。
このように閉店後に店員がパチンコ玉揚送装置１にてメンテナンス作業（保守点検又は故障修理や部品交換）の際、玉止め作業を行い、玉止めしたままであることを忘れてしまってパチンコ玉Ｐの揚送が停止した状態であっても、翌日の開店時、その遊技機島３１に設けた報知手段１６の点灯又は消灯表示により補給トラブルであるか発見することが出来、未然に防止することが出来る。
【００２３】
次に、玉止め動作時における玉抜きの構成について説明する。
パチンコ玉揚装置本体の故障時や新規のパチンコ玉Ｐと交換する際は、回収樋２中のパチンコ玉Ｐの流下を停止させて玉止め状態に成った時、回収樋２に滞留したパチンコ玉Ｐを抜き出すようにしている。以下、図６及び図７に基づいて玉抜きの構成を説明する。
【００２４】
左右の回収樋２の終端２ａ付近のいずれかの側壁２ｂに玉抜き口１７が設けられている。該玉抜き口１７の両側部２ｄには切欠き部２ｃと、上下にはガイド板２ｅとが設けられている。該玉抜き口１７の両側部２ｄの切欠き部２ｃと上下のガイド板２ｅとの間にＬ型の開閉金具１７ａが装着され開閉自在（上下スライド）と成している。
よって、玉抜きの作業は、操作レバー１２に連動して玉導入傾斜板１１の上昇位置に位置している時は、左右の回収樋２が玉導入傾斜板１１の両側壁１１ｂにて堰き止められる。この玉止め動作の時、玉抜き口１７から開閉金具１７ａを開く（引き抜く）ことにより開放し、パチンコ玉Ｐを抜き取り出すことが出来る。尚、玉抜きの作業が終了した時は、玉抜き口１７に開閉金具１７ａを装着して玉抜き口１７を閉鎖した元の状態に戻す。
【００２５】
以上の説明で明らかなように、本発明のパチンコ玉揚送装置の玉導入停止機構によれば、閉店後、パチンコ玉揚送装置を停止し、メンテナンス作業（保守点検又は故障修理や部品交換）する場合は、人為的に操作するだけで玉導入傾斜板が上下動し、この動作により回収樋終端から導入整列樋への流入が阻止し、また、回収樋から導入整列樋へのパチンコ玉の流入が可能にすることが出来る。この操作は、電気的構成を備えることなく行えるので、頻繁に起きていた故障や点検又は修理作業をする必要がない。
【図面の簡単な説明】
【００２６】
【図１】玉導入傾斜板が下降位置にある状態斜視図である。
【図２】玉導入傾斜板が上昇位置にある状態斜視図である。
【図３】玉導入傾斜板が下降位置にある側面状態図である。
【図４】玉導入傾斜板が上昇位置にある側面状態図である。
【図５】本発明に係るパチンコ玉揚送装置の正面全体図である。
【図６】玉抜き口の状態斜視図である。
【図７】玉抜き口の拡大状態斜視図である。
【符号の説明】
【００２７】
１      パチンコ玉揚送装置
２      回収樋
３      導入整列樋
５      玉流入口
１０    玉止め機構
１１    玉導入傾斜板
１１ｂ  側壁部
１２    操作レバー
１５    検知手段
１６    報知手段
１７    玉抜き口
【図１】
2005319327.tif 000003
【図２】
2005319327.tif 000004
【図３】
2005319327.tif 000005
【図４】
2005319327.tif 000006
【図５】
2005319327.tif 000007
【図６】
2005319327.tif 000008
【図７】
2005319327.tif 000009